(57)【要約】【課題】薄葉紙収納容器において、積層薄紙の枚数が少なくなった場合であっても、スムーズに薄葉紙を取り出せるようにする。【解決手段】上面に取出口Ｃａを有し、内側に薄葉紙積層体Ｑを収納するケース体Ｃと、前記取出口を開閉させる蓋体２０と、前記ケース体の前記取出口の周縁部に設けられたケース側パッキン１４と、蓋体２０の下面に位置しケース側パッキン１４と密着して前記ケース体Ｃの気密性を保持できる蓋側パッキン２１と、を備える薄葉紙収納容器において、蓋側パッキン２１の内縁部に、取出口を閉塞する方向側に突出して設けられ、自由端側が下方に傾斜した薄葉紙引掛部２１ａを設けることにより、前記蓋体が開放状態となる方向に移動した際に、薄葉紙引掛部２１ａの下面が前記ケース側パッキンに接することで前記自由端が上昇し、前記取出口から突出している薄葉紙Ｐを押し上げるように構成した。【選択図】図５
2015067312.tif 000002
【特許請求の範囲】
【請求項１】
上面に取出口を有し、内側に薄葉紙が積層された薄葉紙積層体を収納するケース体と、
前記ケース体に対してスライド移動することで前記取出口を開閉させる蓋体と、
前記ケース体の前記取出口の周縁部に設けられたケース側パッキンと、
前記蓋体の下面に位置し、前記蓋体が閉塞状態になった際に前記ケース側パッキンと密着して前記ケース体の収納空間部内の気密性を保持する蓋側パッキンと、
前記蓋体のスライド方向側の前記蓋側パッキンの内縁部に、前記取出口を閉塞する方向側に突出して設けられ、自由端側が下方に傾斜した薄葉紙引掛部と、
を備え、
前記薄葉紙引掛部は、前記蓋体が開放状態となる方向に移動すると、下面が前記ケース側パッキンに接することで前記自由端が上昇して前記取出口から突出している薄葉紙を押し上げることを特徴とする薄葉紙収納容器。
【請求項２】
請求項１に記載の薄葉紙収納容器において、
前記薄葉紙引掛部は、前記蓋体が閉塞状態となる方向に移動すると、前記自由端が下降して前記取出口から突出している薄葉紙を押し下げることを特徴とする薄葉紙収納容器。
【請求項３】
請求項１又は２に記載の薄葉紙収納容器において、
前記薄葉紙引掛部は、前記蓋用パッキンの縁部に、並んで二つ設けられていることを特徴とする薄葉紙収納容器。
【請求項４】
請求項１〜３の何れか一項に記載の薄葉紙収納容器において、
前記薄葉紙引掛部の前記自由端領域に設けられ、上方向及び下方向のうち少なくとも一方に突出する突起部が設けられていることを特徴とする薄葉紙収納容器。
【請求項５】
請求項４に記載の薄葉紙収納容器において、
前記薄葉紙引掛部の前記自由端の先端が上方向及び下方向のうち少なくとも何れかに折り曲げられていることにより、前記突起部が設けられていることを特徴とする薄葉紙収納容器。
【請求項６】
請求項４に記載の薄葉紙収納容器において、
前記薄葉紙引掛部の前記突起部が複数設けられていることを特徴とする薄葉紙収納容器。
【請求項７】
請求項１〜６の何れか一項に記載の薄葉紙収納容器において、
前記薄葉紙引掛部の固定端から前記自由端に向かって幅が細くなっていることを特徴とする薄葉紙収納容器。
【請求項８】
請求項１〜７の何れか一項に記載の薄葉紙収納容器において、
前記薄葉紙引掛部の前記自由端側が前記蓋側のスライド方向に対して傾斜していることを特徴とする薄葉紙収納容器。
【発明の詳細な説明】
【技術分野】
【０００１】
本発明は、薄葉紙を収納する薄葉紙収納容器に関する。
【背景技術】
【０００２】
従来、家屋の床やトイレ、或いは人体などを拭くための薄葉紙を収納する薄葉紙収納容器が知られている。
このような薄葉紙収納容器としては、例えば、内側に積層薄紙を収容する収容空間とこの積層薄紙の取出口とが備わった容器本体と、取出口を閉塞並びに解放するための開閉蓋とが備わり、開閉蓋が容器本体の上壁にほぼ沿って平行にスライド出来るように装着されているとともに、開閉蓋による取出口の閉塞姿勢を保持するロック機構が、開閉蓋の辺縁上面を押圧することでロック解除可能に構成されているスライド式開閉蓋を有する収納容器が知られている（特許文献１，２参照）。
【先行技術文献】
【特許文献】
【０００３】
【特許文献１】特開２０１２−９１８３４号公報
【特許文献２】特開２０１２−９１８３５号公報
【発明の概要】
【発明が解決しようとする課題】
【０００４】
特許文献１，２に記載の薄葉紙収納容器においては、薄葉紙収納容器に収納された積層薄紙の枚数が少なくなった場合に、積層薄紙の上面から取出口までの距離が長くなるため、取出口から突出している薄葉紙の長さが短くなり、薄葉紙が取り出し難くなるという問題がある。
【０００５】
本発明の課題は、薄葉紙収納容器において、積層薄紙の枚数が少なくなった場合であっても、スムーズに薄葉紙を取り出せるようにすることである。
【課題を解決するための手段】
【０００６】
上記課題を解決するために、請求項１に記載の発明は、
上面に取出口を有し、内側に薄葉紙が積層された薄葉紙積層体を収納するケース体と、
前記ケース体に対してスライド移動することで前記取出口を開閉させる蓋体と、
前記ケース体の前記取出口の周縁部に設けられたケース側パッキンと、
前記蓋体の下面に位置し、前記蓋体が閉塞状態になった際に前記ケース側パッキンと密着して前記ケース体の収納空間部内の気密性を保持する蓋側パッキンと、
前記蓋体のスライド方向側の前記蓋側パッキンの内縁部に、前記取出口を閉塞する方向側に突出して設けられ、自由端側が下方に傾斜した薄葉紙引掛部と、
を備え、
前記薄葉紙引掛部は、前記蓋体が開放状態となる方向に移動すると、下面が前記ケース側パッキンに接することで前記自由端が上昇して前記取出口から突出している薄葉紙を押し上げることを特徴とする。
【０００７】
請求項２に記載の発明は、
請求項１に記載の薄葉紙収納容器において、
前記薄葉紙引掛部は、前記蓋体が閉塞状態となる方向に移動すると、前記自由端が下降して前記取出口から突出している薄葉紙を押し下げることを特徴とする。
【０００８】
請求項３に記載の発明は、
請求項１又は２に記載の薄葉紙収納容器において、
前記薄葉紙引掛部は、前記蓋用パッキンの縁部に、並んで二つ設けられていることを特徴とする。
【０００９】
請求項４に記載の発明は、
請求項１〜３の何れか一項に記載の薄葉紙収納容器において、
前記薄葉紙引掛部の前記自由端領域に設けられ、上方向及び下方向のうち少なくとも一方に突出する突起部が設けられていることを特徴とする。
【００１０】
請求項５に記載の発明は、
請求項４に記載の薄葉紙収納容器において、
前記薄葉紙引掛部の前記自由端の先端が上方向及び下方向のうち少なくとも何れかに折り曲げられていることにより、前記突起部が設けられていることを特徴とする。
【００１１】
請求項６に記載の発明は、
請求項４に記載の薄葉紙収納容器において、
前記薄葉紙引掛部の前記突起部が複数設けられていることを特徴とする。
【００１２】
請求項７に記載の発明は、
請求項１〜６の何れか一項に記載の薄葉紙収納容器において、
前記薄葉紙引掛部の固定端から前記自由端に向かって幅が細くなっていることを特徴とする。
【００１３】
請求項８に記載の発明は、
請求項１〜７の何れか一項に記載の薄葉紙収納容器において、
前記薄葉紙引掛部の前記自由端側が前記蓋側のスライド方向に対して傾斜していることを特徴とする。
【発明の効果】
【００１４】
本発明によれば、薄葉紙引掛部が、蓋体が開放状態となる方向にスライド移動する際には取出口から突出している薄葉紙を押し上げる。
したがって、積層薄紙の枚数が少なくなった場合であっても、スムーズに薄葉紙を取り出すことができる。
【図面の簡単な説明】
【００１５】
【図１】本発明の実施形態に係る薄葉紙収納容器において、（ａ）は上蓋を閉めた状態を示す斜視図、（ｂ）は上蓋を開けた状態を示す斜視図である。
【図２】本発明の実施形態に係る薄葉紙収納容器において、上蓋を閉めた状態を示す平面図である。
【図３】本発明の実施形態に係る薄葉紙収納容器において、上蓋を開けた状態を示す平面図である。
【図４】図２の薄葉紙収納容器のIV−IV線における断面図である。
【図５】図３の薄葉紙収納容器のV−V線における断面図である。
【図６】（ａ）はケース側パッキンを上面から示した平面図、（ｂ）はケース側パッキンを前側から示した正面図、（ｃ）はケース側パッキンを示す斜視図である。
【図７】（ａ）は蓋側パッキンを上面から示した平面図、（ｂ）は蓋側パッキンを前側から示した正面図、（ｃ）は蓋側パッキンを示す斜視図である。
【図８】シャーシ及び付勢部材を示す平面図である。
【図９】上蓋を示す平面図である。
【図１０】（ａ）は蓋側パッキンの変形例１を上側から示した平面図、（ｂ）は蓋側パッキンの変形例１を前側から示した正面図である。
【図１１】（ａ）は蓋側パッキンの変形例２を上側から示した平面図、（ｂ）は蓋側パッキンの変形例２を前側から示した正面図である。
【図１２】ケース側パッキンの変形例３を示す図である。
【図１３】ケース側パッキンの変形例４を示す図である。
【図１４】ケース側パッキンの変形例５を示す図である。
【図１５】ケース側パッキンの変形例６を示す図である。
【図１６】ケース側パッキンの変形例７を示す図である。
【図１７】（ａ）は蓋側パッキンの変形例８を上側から示した平面図、（ｂ）はケース側パッキンと変形例８の蓋側パッキンを密着させた場合に前側から示した正面図である。
【発明を実施するための形態】
【００１６】
以下、本発明の実施の形態を図面に基づいて説明する。ただし、発明の範囲は、図示例に限定されない。
なお、以下の説明では、薄葉紙収納容器の平面視長手方向を左右方向、平面視短手方向を前後方向、高さ方向を上下方向とする。
【００１７】
本実施形態に係る薄葉紙収納容器１は、例えば、図１（ａ）に示すように、上蓋２０を閉じた状態で前後方向の側面視にて上側の角が丸みを帯びた略長方形状に形成されており、内部にウェットシートやウェットティシュー等のウェットタイプの薄葉紙Ｐを収納可能に構成されている。なお、薄葉紙収納容器１には、ティシューペーパーやキッチンペーパーやペーパータオル等のドライタイプの薄葉紙Ｐを収納しても良い。
具体的には、薄葉紙収納容器１は、例えば、図１〜図５に示すように、上面に薄葉紙Ｐを取り出すための取出開口１１を有するとともに下面に薄葉紙Ｐが積層された薄葉紙積層体Ｑを詰め替えるための底面開口１２を有し、内側の収納空間部Ｓに薄葉紙積層体Ｑを収納する容器本体１０と、容器本体１０の上面にスライド移動自在に設けられ、取出開口１１を開閉させる上蓋２０と、上蓋２０を容器本体１０に取り付けるためのシャーシ３０と、容器本体１０の底面開口１２を塞ぐ底蓋４０と、上蓋２０を開放状態となる方向に付勢する付勢部材５０と、等を備えて構成される。
【００１８】
容器本体１０、上蓋２０、シャーシ３０及び底蓋４０は、例えば、ＰＰ（ポリプロピレン）、ＰＥ（ポリエチレン）、ＰＶＣ（ポリ塩化ビニル）、ＰＥＴ（ポリエチレンテレフタレート）、ＡＢＳ（Acrylonitrile Butadiene Styrene）等の熱可塑性樹脂から形成されている。
また、本実施形態においては、付勢部材５０として、引張コイルばね（引きばね）を用いるが、これに限ることはなく、付勢部材５０は、伸縮部材であれば適宜任意に変更可能であり、例えば、トーションばねや圧縮コイルばね（押しばね）等であっても良い。
また、付勢部材５０は、金属材料からなる伸縮部材であっても、高分子材料からなる伸縮部材であっても良い。高分子材料からなる伸縮部材としては、例えば、プラスチック製の伸縮部材、シリコンゴム等のゴムや、スチレン系、オレフィン系、塩化ビニル系、ポリエステル系、ポリウレタン系、ナイロン系のエラストマー等の熱可塑性エラストマーなどの弾性体（軟質材料）製の伸縮部材等が挙げられ、また、その形状は、ばね状であっても、板状やチューブ状や紐状であっても良く、適宜任意に変更可能である。付勢部材５０が高分子材料からなる場合、金属製の付勢部材と違って錆びることがないので、長期に亘って安定的に使用することができる。薄葉紙収納容器１に収納する薄葉紙Ｐが、ウェットタイプの薄葉紙Ｐである場合は特に、金属製の付勢部材５０を用いると、薄葉紙Ｐから蒸発した薬液によって付勢部材が錆びる可能性が高くなるので、高分子材料からなる付勢部材５０を用いることが好ましい。
【００１９】
容器本体１０は、例えば図１（ａ），（ｂ）に示すように、当該容器本体１０の上面を構成する上面部１０ａと、当該容器本体１０の前後左右の周面を構成する周面部１０ｂと、からなり、容器本体１０の下面は、例えば図４に示すように、平面視にて角のとれた略長方形状を呈する底面開口１２となっている。そして、この底面開口１２を塞ぐように取り付けられた底蓋４０と、容器本体１０の上面部１０ａ及び周面部１０ｂと、によって囲まれた空間が、薄葉紙積層体Ｑを収納するための収納空間部Ｓとなる。
なお、本実施形態では、下面が開口した容器本体１０を用い、薄葉紙積層体Ｑを容器本体１０の下面側から詰め替えるように構成したが、これに限ることはなく、例えば、下面は閉口して前後左右の何れかの面が開口した容器本体１０を用い、薄葉紙積層体Ｑを容器本体１０の前後左右の何れかの面側から詰め替えるように構成することも可能である。
【００２０】
容器本体１０の上面部１０ａには、例えば、図４、図５に示すように、下側に向けて陥没する凹部１３が設けられており、この凹部１３の凹部底面部１３ａに取出開口１１が形成されている。なお、本実施形態では、凹部底面部１３ａのうち左右方向（容器本体１０の平面視長手方向）中央よりも一側（本実施形態の場合、右側）にずれた位置に取出開口１１を形成したが、これに限ることはなく、例えば、凹部底面部１３ａの左右方向略中央に取出開口１１を形成することも可能である。
取出開口１１は、容器本体１０の内部の収納空間部Ｓに収納された薄葉紙Ｐを取り出すための、平面視にて角のとれた略長方形状に形成された開口である。
【００２１】
容器本体１０の上面部１０ａには、例えば、図４、図５に示すように、シャーシ３０が固定されており、シャーシ３０の底面部３１の開口部３１ｄが、容器本体１０の取出開口１１に重なるように配置されている。
シャーシ３０の底面部３１の開口部３１ｄ周縁部には、例えば、図４、図５に示すように、取出口Ｃａを有する枠状のケース側パッキン１４が装着されている。
取出口Ｃａは、上蓋２０が開放状態（図１（ｂ）、図３、図５参照）となった場合に開放され、このとき薄葉紙Ｐを、取出口Ｃａを通じて一枚毎に収納空間部Ｓから外部に引き出すことができるようになっている。
また、取出口Ｃａは、上蓋２０が閉塞状態（図１（ａ）、図２、図４参照）となった場合に閉塞されるようになっている。
すなわち、本実施形態の場合、上面に取出口Ｃａを有し、内側に薄葉紙Ｐが積層された薄葉紙積層体Ｑを収納するケース体Ｃは、容器本体１０と、当該容器本体１０の上面に固定されるシャーシ３０と、シャーシ３０の底面部３１の上面に装着されるケース側パッキン１４と、からなり、上蓋２０は、ケース体Ｃのうちシャーシ３０に取り付けられている。
【００２２】
また、上蓋２０の下面にも、蓋側パッキン２１が取り付けられている。
蓋側パッキン２１は、上蓋２０の下面のうち、上蓋２０の閉塞状態においてケース側パッキン１４に対応する位置に設けられており、ケース側パッキン１４と蓋側パッキン２１とは、上蓋２０が閉塞状態となった場合に互いに密着して（図４参照）、収納空間部Ｓ内の気密性を保持するように構成されている。すなわち、ケース側パッキン１４及び蓋側パッキン２１が、収納空間部Ｓ内を気密に保つための気密手段として機能する。
これにより、薄葉紙収納容器１に収納する薄葉紙Ｐが、本実施形態のようにウェットタイプの薄葉紙Ｐである場合には、薄葉紙Ｐに含浸した薬液の蒸発を防止できるようになっている。
【００２３】
なお、本実施形態では、ケース側パッキン１４及び蓋側パッキン２１を、シリコンゴム等のゴムや、スチレン系、オレフィン系、塩化ビニル系、ポリエステル系、ポリウレタン系、ナイロン系のエラストマー等の熱可塑性エラストマーなどの軟質材料で形成したが、これに限ることはない。ケース側パッキン１４及び蓋側パッキン２１は、例えば、ＰＥ（Polyethylene）やＰＰ（Polypropylene）などの硬質材料で形成しても良い。また、ケース側パッキン１４及び蓋側パッキン２１を、同じ材料で形成しても良いし、異なる材料で形成しても良い。また、ケース側パッキン１４及び蓋側パッキン２１は、薄葉紙収納容器１に収納する薄葉紙Ｐがウェットタイプである場合は特に、薬液耐性のある材料で形成されることが好ましい。
【００２４】
ここで、収納空間部Ｓに収納されている薄葉紙積層体Ｑは、例えば、複数枚の薄葉紙Ｐが積層された詰替え用の薄葉紙積層体であって、ケース体Ｃに形成された取出口Ｃａから薄葉紙Ｐを継続して取り出せるように交互に折り重ねられた状態で積層されている。すなわち、薄葉紙Ｐは、薄葉紙Ｐを取出口Ｃａからケース体Ｃの外側へ引き出したときに、次の薄葉紙Ｐの上端が取出口Ｃａよりも突出する位置まで収納空間部Ｓから引き出されるように、いわゆるポップアップ方式で折り重ねられている。
なお、薄葉紙積層体Ｑは、本実施形態のように包装体Ｔによって内包されていても良いし、包装体Ｔによって内包されていなくても良い。特に、薄葉紙収納容器１に収納する薄葉紙Ｐが、本実施形態のようにウェットタイプの薄葉紙Ｐである場合には、薄葉紙積層体Ｑは防湿性の包装体Ｔによって内包されていることが好ましい。
【００２５】
ケース側パッキン１４の下端部のうち左側部分には、例えば、図４〜図６に示すように、内側に向けて、すなわち取出口Ｃａを塞ぐ方向側に向けて延出する延出部１４ａが設けられている。これにより、薄葉紙Ｐを一枚ずつ引き出しやすくなっている。
【００２６】
蓋側パッキン２１の左側の内縁部には、図２、図３、図７に示すように、蓋側パッキン２１の左側の内縁部に固定される固定端と右側に延びて固定されない自由端とを有し、自由端に薄葉紙Ｐを引掛けられるようになっている薄葉紙引掛部２１ａが前後方向に並んで２つ設けられている。
薄葉紙引掛部２１ａの自由端領域には、図７に示すように、薄葉紙引掛部２１ａの上側の面に突起部２１ｂが設けられており、薄葉紙を引掛けることができる。なお、突起部２１ｂは、本実施形態では薄葉紙引掛部２１ａの上側の面に設けたが、下側の面又は両面に設けてもよく、薄葉紙を引掛けることができれば、適宜変更可能である。
【００２７】
また、蓋側パッキンの強度を向上させるため、蓋側パッキン２１の中央部に、例えば、図２、図３、図７に示すように、蓋側パッキン２１の左側と右側を繋ぐように橋渡ししているパッキン支え部２１ｃが設けられている。なお、本実施形態では、パッキン支え部２１ｃを蓋側パッキン２１の中央部に１つ設けているが、パッキン支え部２１ｃを蓋側パッキン２１の左側と右側を繋ぐようにして２つ以上設けてもよいし、パッキン支え部２１ｃを設けなくてもよい。
【００２８】
また、蓋側パッキン２１の左側の外縁部には、例えば、図７に示すように、スライド移動際の衝撃を吸収する衝撃吸収部２１ｄが設けられている。なお、本実施形態では、蓋側パッキン２１の左側の外縁部に前後方向２つ並べて配置したが、１つでもよいし、３つ以上でもよいし、衝撃吸収部２１ｄを設けなくてもよい。
【００２９】
薄葉紙引掛部２１ａは、蓋側パッキン２１の左側の内縁部に固定されており、上蓋２０を開放状態となる方向にスライド移動した場合（図５）は、薄葉紙引掛部２１ａの下面がケース側パッキン１４に接することで自由端が上昇する。逆に、上蓋２０を閉塞状態となる方向にスライド移動した場合（図４）は、薄葉紙引掛部２１ａの自由端は取出口Ｃａの方向に向かって傾斜する。
従って、上蓋２０を閉塞状態から開放状態に移動させることにより、薄葉紙引掛部２１ａの自由端が上昇するにつれて、取出口Ｃａから薄葉紙Ｐが押し上げられ、逆に、上蓋２０を開放状態から閉塞状態に移動させることにより、薄葉紙引掛部２１ａの自由端が下降するにつれて、薄葉紙Ｐを取出口Ｃａに押し下げるように構成されている。
なお、薄葉紙引掛部２１ａは、スライド方向に対して平行な状態から取出口Ｃａに向かって傾斜した状態へ変換できるように、弾性変形可能な軟質材料で形成されている。
【００３０】
また、本実施形態では、容器本体１０にケース側パッキン１４を設けて上蓋２０に蓋側パッキン２１を設けた、すなわち、ケース体Ｃと上蓋２０との双方に気密手段を設けたが、これに限ることはなく、気密手段によって取出口Ｃａの周縁と上蓋２０との隙間を封止できるのであれば、例えば、上蓋２０だけに気密手段を設けても良い。
【００３１】
シャーシ３０は、例えば、図４、図５に示すように、容器本体１０の凹部１３内に収容された状態で容器本体１０の上面部１０ａに固定されており、上蓋２０は、シャーシ３０を介して容器本体１０に取り付けられている。
また、シャーシ３０は、例えば、図８に示すように、容器本体１０の凹部１３上に配置されるシャーシ底面部３１と、閉塞状態の上蓋２０と略面一となるよう形成されている上壁部３２と、を備えて構成される。
本実施形態では、上蓋２０と上壁部３２とを合わせると、平面視にて略楕円形状の板状部材を構成するようになっている。また、上蓋２０及び上壁部３２は、前後方向（短径方向）に下方へ凸となるよう湾曲した形状をなしている。
【００３２】
シャーシ底面部３１には、例えば、図４、図５、図８に示すように、付勢部材５０の一端と係合する固定側係合部３３が設けられている。
また、上蓋２０の下面のうち前後方向中央よりも前側及び後側の位置には、例えば、図４、図５、図９に示すように、付勢部材５０の他端と係合する可動側係合部２２がそれぞれ設けられている。
本実施形態において、薄葉紙収納容器１は、例えば、図８に示すように、付勢部材５０である引張コイルばねを２本備えている。また、上蓋２０は、可動側係合部２２を２つ備えているとともに、シャーシ底面部３１には、固定側係合部３３を２つ備えている。そして、２本の付勢部材５０のうち一方の一端が、２つの固定側係合部３３のうちの一方に掛止されるとともに、２本の付勢部材５０のうち他方の一端が、２つの固定側係合部３３のうちの他方に掛止され、２本の付勢部材５０のうち一方の他端が、２つの可動側係合部２２のうちの一方に掛止されるとともに、２本の付勢部材５０のうち他方の他端が、２つの可動側係合部２２のうちの他方に掛止されている。
【００３３】
上蓋２０が右側（すなわち、上壁部３２側）へとスライド移動して開放状態から閉塞状態に移行すると、付勢部材５０の一端に係合する固定側係合部３３と、付勢部材５０の他端に係合する可動側係合部２２と、の間隔が長くなるので、付勢部材５０は左側（すなわち、上壁部３２とは反対側）に付勢された状態になる。すなわち、付勢部材５０は、上蓋２０の閉塞状態において、当該上蓋２０を開放状態となる方向に付勢している。そして、付勢部材５０の付勢力に抗する力が解除されると、付勢部材５０の付勢力によって上蓋２０が左側（すなわち、上壁部３２とは反対側）に引っ張られて、取出口Ｃａが開放される。
【００３４】
また、本実施形態において、可動側係合部２２は、例えば、図４、図５に示すように、固定側係合部３３よりも上側に配置されている。そのため、付勢部材５０は、ケース体Ｃの高さ方向（すなわち、上下方向）に対して斜めに設置、具体的には、可動側係合部２２と係合する他端が、固定側係合部３３と係合する一端よりも上側に配置された状態で設置されている。したがって、付勢部材５０は、上蓋２０の閉塞状態において、当該上蓋２０を開放状態となる方向に付勢するだけでなく、当該上蓋２０を下方向（すなわち、当該上蓋２０をケース体Ｃに押し付ける方向）にも付勢するので、気密手段（本実施形態の場合、ケース側パッキン１４及び蓋側パッキン２１）によって取出口Ｃａの周縁と上蓋２０との隙間がしっかりと封止されることとなって、収納空間部Ｓの気密性が向上する。
【００３５】
また、本実施形態では、可動側係合部２２を固定側係合部３３よりも上側に配置して付勢部材５０をケース体Ｃの高さ方向に対して斜めに設置することで、蓋体（上蓋２０）を開放状態となる方向だけでなく、ケース体Ｃに押し付ける方向にも付勢するように構成したので、収納空間部Ｓの気密性が向上する。これにより、薄葉紙収納容器１に収納する薄葉紙Ｐが、本実施形態のようにウェットタイプの薄葉紙Ｐである場合には、薄葉紙Ｐに含浸した薬液の蒸発を確実に防止できるようになっている。
【００３６】
付勢部材５０は、伸縮部材により構成され、シャーシ３０の固定側係合部３３が、ケース体Ｃ（本実施形態の場合、シャーシ３０）に設けられ付勢部材５０の一端と係合する固定点として機能し、上蓋２０の可動側係合部２２が、上蓋２０に設けられ付勢部材５０の他端と係合する可動点として機能する。
そして、付勢部材５０、シャーシ３０の固定側係合部３３及び上蓋２０の可動側係合部２２が、上蓋２０を開放状態となる方向にスライド移動させる可動機構として機能する。
なお、本実施形態では、固定側係合部３３（固定点）をシャーシ３０に設けたが、これに限ることはなく、固定側係合部３３（固定点）は、容器本体１０に設けても良い。
【００３７】
また、本実施形態では、付勢部材５０、シャーシ３０の固定側係合部３３及び上蓋２０の可動側係合部２２は、上蓋２０が、開放状態である場合も、閉塞状態である場合も、開放状態から閉塞状態に移行する途中の状態である場合も、閉塞状態から開放状態に移行する途中の状態である場合も、凹部１３内に配置された状態で上蓋２０に上方から覆われているので、薄葉紙収納容器１の外部から視認することができない。
すなわち、上蓋２０は、当該上蓋２０の状態にかかわらず、外部から視認不能に付勢部材５０、シャーシ３０の固定側係合部３３及び上蓋２０の可動側係合部２２を遮蔽している。これにより、薄葉紙収納容器１の美観が向上するとともに、付勢部材５０、シャーシ３０の固定側係合部３３及び上蓋２０の可動側係合部２２が触られることを防止できるようになっている。
【００３８】
さらに、本実施形態では、容器本体１０の凹部１３の凹部底面部１３ａ及びシャーシ３０のシャーシ底面部３１により、容器本体１０の内側（収納空間部Ｓ側）から視認不能に付勢部材５０、シャーシ３０の固定側係合部３３及び上蓋２０の可動側係合部２２を遮蔽しているので、付勢部材５０、シャーシ３０の固定側係合部３３及び上蓋２０の可動側係合部２２が、容器本体１０の内側から触られることも防止できるようになっている。
【００３９】
上蓋２０の右端部（すなわち、上壁部３２側の端部）には、例えば、図４、図５に示すように、下側に向けて突出する爪部２３が設けられている。
また、シャーシ３０には、上壁部３２の一部を操作面３４ａとしたスイッチ部３４が設けられている。スイッチ部３４は、前後方向に沿って延設された軸部３４ｂを回動軸として回動可能に構成されており、左端側（すなわち、上蓋２０側）に爪部２３が上方から進入して係合する爪受部３４ｃを有している。また、スイッチ部３４は、図示しない付勢手段によって、押圧されて回動する方向とは逆方向に付勢されている。
【００４０】
上蓋２０が開放状態である際に、付勢部材５０の付勢力に抗する力を作用させて上蓋２０を右側（すなわち、上壁部３２側）へとスライド移動させると、まず、上蓋２０の爪部２３がスイッチ部３４の爪受部３４ｃに当接する。さらに上蓋２０を右側へとスライド移動させると、爪受部３４ｃが爪部２３に押されてスイッチ部３４の付勢手段の付勢力に抗する力が作用し、爪受部３４ｃが下側へと移動するようにスイッチ部３４が回動する。そして、上蓋２０が閉塞状態になってスイッチ部３４の付勢手段の付勢力に抗する力が解除されると、スイッチ部３４の付勢手段の付勢力によって爪受部３４ｃがもとの位置に戻るよう（すなわち、操作面３４ａが上壁部３２の表面と略面一の状態となるよう）にスイッチ部３４が回動して、爪部２３と爪受部３４ｃとが係合する。これにより、上蓋２０の閉塞状態を維持できるようになっている。
【００４１】
また、爪部２３と爪受部３４ｃとが係合している際に、スイッチ部３４の操作面３４ａが押圧されてスイッチ部３４の付勢手段の付勢力に抗する力が作用すると、爪受部３４ｃが下側へと移動するようにスイッチ部３４が回動する。そして、スイッチ部３４の回動に伴い爪部２３と爪受部３４ｃとの係合が解除されると、付勢部材５０の付勢力によって上蓋２０が左側（すなわち、上壁部３２とは反対側）へとスライド移動して開放状態になる。
すなわち、上蓋２０に設けられた爪部２３と、シャーシ３０に設けられ爪部２３と係合する爪受部３４ｃとが、付勢部材５０の付勢力に抗して上蓋２０が閉塞状態となるように係止するとともに、当該係止を解除可能な係止手段として機能する。
なお、本実施形態では、係止手段による係止を解除する際に押圧されるスイッチ部３４をシャーシ３０に設けたが、これに限ることはなく、スイッチ部３４は、容器本体１０に設けても良い。
【００４２】
ここで、例えば、図３に示すように、取出口Ｃａは、平面視にて、爪部２３及び爪受部３４ｃと左右方向（上蓋２０のスライド移動の方向）に重なるように配置されている。すなわち、取出口Ｃａは、上蓋２０のスライド移動に伴う爪部２３の移動の軌跡に重なるように配置されている。
このように、取出口Ｃａが爪部２３の移動の軌跡下に配置されている場合、蓋側パッキン２１に薄葉紙引掛部２１ａが設けられていないと、スムーズに上蓋２０を閉塞状態にすることができない。具体的には、蓋側パッキン２１に薄葉紙引掛部２１ａが設けられていないと、取出口Ｃａから突出している薄葉紙Ｐが上蓋２０よりも上方に飛び出ている状態で上蓋２０を閉める際に、当該薄葉紙Ｐが爪部２３と爪受部３４ｃとの間に挟まったり、上蓋２０と上壁部３２との間に挟まったりして、スムーズに上蓋２０を閉塞状態にすることができない。
【００４３】
これに対し、本実施形態の場合は、蓋側パッキン２１に薄葉紙引掛部２１ａが設けられており、上蓋２０が開放状態である際に（図５）、上蓋２０を右方向へとスライド移動させると、薄葉紙引掛部２１ａの自由端側が下降して薄葉紙Ｐを下に押し下げる（図４）。したがって、取出口Ｃａから薄葉紙Ｐが飛び出している上体で上蓋２０を閉めた場合であっても、上蓋２０を閉めると同時に薄葉紙が下に押し下げられるため、当該薄葉紙Ｐが爪部２３と爪受部３４ｃとの間や上蓋２０と上壁部３２との間に挟まってしまうことがなく、スムーズに上蓋２０を閉塞状態にすることができる。
【００４４】
ここで、本実施形態では、薄葉紙引掛部２１ａが上蓋２０の開閉の邪魔にならないように構成した。具体的には、ケース側パッキン１４は右側の方が厚くなっており（図６（ｂ））、蓋側パッキン２１は左側の方が厚くなっているため（図７（ｂ））、ケース側パッキン１４を取出口Ｃａに、蓋側パッキン２１を上蓋２０の下面に装着すると、上蓋２０が開放状態である際には、ケース側パッキン１４と蓋側パッキン２１の間に隙間ができる（図５）。この２つのパッキン間の隙間を通るようにして、薄葉紙引掛部２１ａの自由端側は、取出口Ｃａの方向に延びるようになっているため、上蓋２０の開閉の際に邪魔にならない。
また、上蓋２０が閉塞状態である際には、薄葉紙引掛部２１ａの自由端側は取出口Ｃａに向かって直接傾斜するようになっており、ケース側パッキン１４と蓋側パッキン２１の密着部には邪魔にならないため、閉塞状態における気密手段に影響はない。
【００４５】
本実施形態においては、上蓋２０をスムーズかつ確実に開閉できるように、シャーシ３０には、上蓋２０を直線的にスライド移動するようガイドするレール部３１ａ設けられ、上蓋２０にはレール部３１ａに対してスライド移動可能に係合するスライド部２４が設けられている。
具体的には、例えば、図８に示すように、シャーシ３０の底面部３１には、左右方向に沿って延設され、前後方向に並ぶレール部３１ａ，３１ａが設けられており、レール部３１ａ，３１ａの右端部領域には、レール部３１ａ，３１ａを通過したスライド部２４が挿入できるように、レール挿入部３１ｂ，３１ｂが設けられている。
また、図９に示すように、スライド部２４は、例えば、上蓋２０とシャーシ３０とが組み合わされた状態で、レール部３１ａに設けられた横溝部に挿入可能となるように、上蓋２０の下面から垂下する垂壁部（図示省略）の下端に接続されている。これにより、上蓋２０をスムーズかつ確実に開閉できるようになっている。
なお、本実施形態では、上蓋２０のスライド移動をガイドするためのレール部３１ａをシャーシ３０に設けたが、これに限ることはなく、例えば、レール部３１ａは、容器本体１０に設けても良い。
【００４６】
シャーシ３０の底面部３１には、図８に示すように、係合部３１ｃが２箇所設けられている。シャーシ３０の係合部３１ｃは、容器本体１０の凹部１３上に設けられた係合部と嵌め込みできるようになっており（図示省略）、嵌め込むことにより、容器本体１０にシャーシ３０を固定することが可能である。
なお、本実施形態では、シャーシ３０の係合部３１ｃをシャーシ３０の底面部３１に２箇所設けたが、これに限ることはなく、シャーシ３０を容器本体１０に固定できるのであれば、適宜変更可能である。
【００４７】
シャーシ３０の左側には、図８に示すように、上蓋２０が開放状態となる際に上蓋２０のスライド移動を止めるために、突起部３６が設けられている。突起部３６は、図４，図５に示すように、左側が高くなるように傾斜しており、突起部３６に蓋側パッキン２１が乗り上げるようにして上蓋２０のスライド移動が止められるようになっている。この際に、蓋側パッキン２１の衝撃吸収部２１ｄが突起部３６に接するため、スライド移動を停止する際の衝撃を吸収できるようになっている。
なお、本実施形態では、突起部３６はシャーシ３０の前後方向に２つ並べて設けたが、これに限ることはなく、個数や形状は適宜任意に変更可能である。
【００４８】
上蓋２０には、例えば、図４、図５に示すように、上蓋２０を閉める際等に指を掛けるための可動側指掛部２５が設けられている。具体的には、上蓋２０には、可動側指掛部２５として、当該上蓋２０の右端部（すなわち、上蓋２０の閉塞状態となる方向側の端部）を上側に向けて起立させることによって形成された突起部が設けられている。また、上蓋２０には、可動側指掛部２５に掛けた指を載置するための指載置部２６として、当該上蓋２０の上面を下側に向けて窪ませることによって形成された凹部が設けられている。
また、ケース体Ｃ（本実施形態の場合、シャーシ３０）のうち係止手段（本実施形態の場合、爪受部３４ｃ）よりも右側（すなわち、上蓋２０の閉塞状態となる方向側）には、上蓋２０を閉める際等に指を掛けるための不動側指掛部３５が設けられている。具体的には、シャーシ３０には、不動側指掛部３５として、シャーシ３０の端部（本実施形態の場合、上壁部３２の右端部）を上側に向けて起立させることにより形成された突起部が設けられている。
【００４９】
すなわち、可動側指掛部２５の左側（すなわち、不動側指掛部３５とは反対側）に指を掛けて上蓋２０を閉める際に、不動側指掛部３５の右側（すなわち、可動側指掛部２５とは反対側）に指を掛けて容器本体１０に左方向の力（上蓋２０に作用させる力とは逆方向の力）を作用させて容器本体１０が滑らないように容器本体１０を固定しておくことができるように構成されている。これにより、片手で上蓋２０を閉めることができるようになっている。
また、本実施形態の場合、不動側指掛部３５は、スイッチ部３４に離間してケース体Ｃ（本実施形態の場合、シャーシ３０）に設けられている。これにより、不動側指掛部３５に掛けた指でスイッチ部３４を誤操作してしまうことを防止できるようになっている。
なお、本実施形態では、不動側指掛部３５をシャーシ３０に設けたが、これに限ることはなく、不動側指掛部３５は、容器本体１０に設けても良い。
【００５０】
上蓋２０の下面には、例えば、図４、図５に示すように、先端が左側（すなわち、上蓋２０の開放状態となる方向側）を向くよう前後方向の側面視略逆Ｌ字状に突出する突片部２７が設けられている。
また、容器本体１０の凹部１３の周縁のうち、上蓋２０の閉塞状態において突片部２７に対応する位置には、例えば、図４に示すように、上蓋２０が閉塞状態から開放状態へと移行する際に突片部２７が入り込む開口部１５が形成されており、上蓋２０が開放状態になると、上蓋２０の突片部２７の先端側が容器本体１０の開口部１５に入り込んで、突片部２７の上下方向の移動が規制されるように構成されている（図５）。これにより、上蓋２０の開放状態において、上蓋２０の左端側が上方向へと移動して上蓋２０が起き上がってしまうことを防止できるようになっている。
【００５１】
以上説明した本実施形態の薄葉紙収納容器１によれば、上面に取出口Ｃａを有し、内側に薄葉紙Ｐが積層された薄葉紙積層体Ｑを収納するケース体Ｃと、ケース体Ｃに対してスライド移動することで取出口Ｃａを開閉させる上蓋２０（蓋体）と、ケース体Ｃの取出口Ｃａの周縁部に設けられたケース側パッキンと、上蓋２０の下面に位置し、上蓋２０が閉塞状態になった際にケース側パッキンと密着してケース体の収納空間部Ｓ内の気密性を保持する蓋側パッキン２１と、上蓋２０のスライド方向側の蓋側パッキン２１の内縁部に、取出口Ｃａを閉塞する方向側に突出して設けられ、自由端側が下方に傾斜した薄葉紙引掛部２１ａと、を備え、薄葉紙引掛部２１ａは、上蓋２０が開放状態となる方向に移動すると、下面がケース側パッキン１４に接することで自由端が上昇して取出口Ｃａから突出している薄葉紙Ｐを押し上げるように構成されている。
【００５２】
したがって、図５に示したように、薄葉紙収納容器１に収納された積層薄紙の枚数が少なくなった場合においても、上蓋２０が開放状態になる際に、常に薄葉紙引掛部２１ａによって薄葉紙Ｐが取出口Ｃａの上部付近まで運ばれてくるため、積層薄紙の枚数が少なくなった場合においても、スムーズに薄葉紙を取り出すことができる。
【００５３】
本実施形態においては、蓋側パッキン２１の内縁部には、薄葉紙引掛部２１ａが前後方向に２つ並んで設けられているとしたが、個数、形状、配置方法等は、適宜任意に変更可能である。具体的には、後述する変形例１〜７にて、薄葉紙引掛部２１ａの変形例について図面を参照しながら詳細に説明する。
【００５４】
＜変形例１＞
図１０（ａ），（ｂ）に示す変形例１は、薄葉紙引掛部２１ａの自由端の先端が折り曲げられることにより突起部が設けられた変形例である。自由端の先端が折り曲げられたことにより、本実施形態の薄葉紙引掛部２１ａと比べて、薄葉紙Ｐが引掛かりやすくなっており、より確実に薄葉紙Ｐを押し上げることができる。なお、変形例１は、図１０（ｂ）に示すように、上向きに先端が折り曲げられているが、下向きに折り曲げられてもよいし、前後の薄葉紙引掛部２１ａがそれぞれ下向きと上向きに別々に折り曲げられてもよい。
【００５５】
＜変形例２＞
図１１（ａ），（ｂ）に示す変形例２は、薄葉紙引掛部２１ａの自由端領域に突起部２１ｂを複数設けた場合の変形例である。突起部２１ｂを複数設けたことにより、突起部２１ｂが１つのみ設けられた本実施形態の薄葉紙引掛部２１ａと比べて、薄葉紙Ｐが引掛かりやすくなっており、より確実に薄葉紙Ｐを押し上げることができる。なお、変形例２は、図１１（ｂ）に示すように、自由端領域の上側の面に突起部２１ｂが設けられているが、下側の面に設けてもよいし、両面に設けてもよい。
【００５６】
＜変形例３＞
図１２に示す変形例３は、薄葉紙引掛部２１ａの固定端から自由端に向かって幅を細くした変形例である。自由端の先端が細くなって先端が薄葉紙Ｐに刺さりやすくなることにより、本実施形態の薄葉紙引掛部２１ａと比べて、薄葉紙Ｐを引掛けやすくなっており、より確実に薄葉紙Ｐを押し上げることができる。なお、変形例３においては、自由端を手で触れた場合に怪我をしないようにするため、薄葉紙引掛部２１ａは、シリコンゴム等のゴムや、スチレン系、オレフィン系、塩化ビニル系、ポリエステル系、ポリウレタン系、ナイロン系のエラストマー等の熱可塑性エラストマーなどの軟質材料とするのがよい。
【００５７】
＜変形例４＞
図１３に示す変形例４は、薄葉紙引掛部２１ａの自由端側の向きをスライド移動方向に対して傾斜させた場合の変形例である。具体的には、前後２つの薄葉紙引掛部２１ａの自由端を蓋側パッキン２１の中央部に向けて傾斜させることにより、薄葉紙Ｐを挟み込めるようにしている。薄葉紙引掛部２１ａの自由端側を。薄葉紙引掛部２１ａの自由端で薄葉紙Ｐを挟み込むことができるため、本実施形態の薄葉紙引掛部２１ａと比べて、より確実に薄葉紙Ｐを押し上げることができる。
【００５８】
＜変形例５＞
図１４に示す変形例５は、薄葉紙引掛部２１ａの数を１つにした場合の変形例である。具体的には、薄葉紙引掛部２１ａは、蓋側パッキン２１の左側の内縁部中央付近に１つ設けられている。実施形態及び変形例１〜４の薄葉紙引掛部２１ａと比べて、薄葉紙Ｐを引掛け難くなるものの、薄葉紙Ｐを取出す際に邪魔になり難くなる。なお、薄葉紙引掛部２１ａの数は、適宜変更可能であり、例えば、３つ以上設けてもよい。
【００５９】
＜変形例６＞
図１５に示す変形例６は、薄葉紙引掛部２１ａの自由端の先端領域をＣ型形状とした場合の変形例である。Ｃ型形状の内側に薄葉紙Ｐを挟み込むことができるため、他の実施例と比較して、薄葉紙Ｐとの接触面が広く、より確実に押し上げることができるようになっている。また、図１５に示すように、Ｃ型形状の内縁部に突部２１ｅを設けることにより、さらに引掛けやすくすることができる。なお、形状は適宜変更可能であり、変形例６ではＣ型の形状としたが、中央部に薄葉紙Ｐを引掛けられるようになっていればよく、例えば、輪形にしてもよい。
【００６０】
＜変形例７＞
図１６に示す変形例７は、薄葉紙引掛部２１ａの自由端の先端領域を長方形とした場合の変形例である。本実施形態の薄葉紙引掛部２１ａと比べて、自由端領域に薄葉紙Ｐを引掛け易くなっており、より確実に薄葉紙Ｐを押し上げることができる。なお、変形例７では長方形型の形状としたが、形状は適宜変更可能であり、例えば、円形、正方形又は三角形としてもよい。
【００６１】
＜変形例８＞
図１７に示す変形例８は、薄葉紙引掛部２１ａの固定端の箇所を蓋側パッキン２１の右側の内縁部とした場合の変形例である。この場合においても、図４に示す本実施形態と同様に、上蓋２０が閉塞状態にある場合には、薄葉紙引掛部２１ａは取出口Ｃａに向かって傾斜し、上蓋２０が開放状態のときは、薄葉紙引掛部２１ａはスライド移動方向と平行になるため、薄葉紙Ｐを上に押し上げることができる。具体的には、図１７（ｂ）に示すように、上蓋２０の閉塞状態において、蓋側パッキン２１とケース側パッキン１４が密着する際に、パッキン同士の密着部を避けることができるので、パッキンの密着部の内側の取出し口Ｃａを通って、薄葉紙引掛部２１ａが下側に向かって伸びることができる。
【００６２】
なお、本実施形態及び変形例１〜８において、薄葉紙引掛部２１ａの自由端の長さを短くしてもよい。この場合は、薄葉紙引掛部２１ａがシャーシ３０の底面部３１とケース側パッキン１４との間の段差に引掛かりやすくなるので、ケース側パッキン１４でシャーシ３０の底面部３１まで覆う範囲を広げる又はシャーシ３０の底面部３１を盛上げることにより、段差をなくすように適宜変更すればよい。
【００６３】
なお、今回開示された実施の形態はすべての点で例示であって制限的なものではないと考えられるべきである。また、前述の実施形態及び変形例の構成を組み合わせて適用しても良い。本発明の範囲は上記した説明ではなくて特許請求の範囲によって示され、特許請求の範囲と均等の意味および範囲内でのすべての変更が含まれることが意図される。
【符号の説明】
【００６４】
１      薄葉紙収納容器
１０    容器本体（ケース体）
１０ａ  上面部
１０ｂ  周面部
１１    取出開口
１２    底面開口
１３    凹部
１３ａ  凹部底面部
１４    ケース側パッキン（ケース体）
１４ａ  延出部
１５    開口部
２０    上蓋（蓋体）
２１    蓋側パッキン
２１ａ  薄葉紙引掛部
２１ｂ  突起部
２１ｃ  パッキン支え部
２１ｄ  衝撃吸収部
２１ｅ  突部
３０    シャーシ
３１    底面部
４０    底蓋
５０    付勢部材
Ｃ      ケース体
Ｃａ    取出口
Ｐ      薄葉紙
Ｑ      薄葉紙積層体
Ｓ      収納空間部
Ｔ      包装体
【図１】
2015067312.tif 000003
【図２】
2015067312.tif 000004
【図３】
2015067312.tif 000005
【図４】
2015067312.tif 000006
【図５】
2015067312.tif 000007
【図６】
2015067312.tif 000008
【図７】
2015067312.tif 000009
【図８】
2015067312.tif 000010
【図９】
2015067312.tif 000011
【図１０】
2015067312.tif 000012
【図１１】
2015067312.tif 000013
【図１２】
2015067312.tif 000014
【図１３】
2015067312.tif 000015
【図１４】
2015067312.tif 000016
【図１５】
2015067312.tif 000017
【図１６】
2015067312.tif 000018
【図１７】
2015067312.tif 000019